(57)【特許請求の範囲】
【請求項１】
印刷用版下情報が示す画像のサイズを含む版下属性情報と、複数の電子情報が示す画像の配置状態を特定する面付け情報と、が関連付けられた状態で保存された印刷用版下情報に対し、前記電子情報の出力要求を受け付ける受付手段と、
前記受付手段で出力要求を受け付けた場合に、前記面付け情報に基づいて、前記印刷用版下情報から電子情報を抽出する抽出手段と、
前記抽出手段で抽出された電子情報が示す画像のサイズを、印刷用版下情報が示す画像のサイズに変換する変換手段と、
を有する電子情報編集装置。
【請求項２】
保存された印刷用版下情報には、印刷用版下情報が示す画像を印刷するための印刷指示情報が付加されており、
前記印刷用版下情報を保存するときに利用した面付け情報を、前記印刷指示情報に付加する請求項１記載の電子情報編集装置。
【請求項３】
保存された印刷用版下情報には、印刷用版下情報が示す画像を印刷するための印刷指示情報が付加されており、
前記印刷用版下情報を保存するときに、新たに面付け情報を作成して、前記印刷指示情報に付加する請求項１記載の電子情報編集装置。
【請求項４】
前記抽出手段が、前記面付け情報に基づく電子情報が示す画像の数に対応して、印刷用版下情報が示す画像を複製する必要があるか否かを判定する第１の判定手段をさらに有し、
前記第１の判定手段により複製が必要と判定され、印刷用版下情報が示す画像が複製された場合に、複製された印刷用版下情報が示す画像毎に、全数よりも少ない数の電子情報が示す画像を抽出する請求項１〜請求項３の何れか１項記載の電子情報編集装置。
【請求項５】
前記抽出手段が、前記面付け情報に基づく電子情報が示す画像の数に対応して、印刷用版下情報が示す画像を複製する必要があるか否かを判定する第１の判定手段をさらに有し、
前記第１の判定手段により複製が必要と判定され、印刷用版下情報が示す画像が複製された場合に、複製された印刷用版下情報が示す画像毎に、１つの電子情報を抽出する請求項１〜請求項３の何れか１項記載の電子情報編集装置。
【請求項６】
前記抽出手段が、前記印刷用版下情報の面付け情報に基づき、前記電子情報に付された頁順に並べ替える必要があるか否かを判定する第２の判定手段をさらに有し、
前記第２の判定手段により並べ替えが必要と判定された場合に、複製された印刷用版下情報が示す画像を、面付け情報に基づき、並べ替える請求項１〜請求項５の何れか１項記載の電子情報編集装置。
【請求項７】
コンピュータを、
前記請求項１〜請求項６の何れか１項記載の電子情報編集装置として機能させる電子情報編集制御プログラム。
【発明の詳細な説明】
【技術分野】
【０００１】
本発明は、電子情報編集装置、電子情報編集制御プログラムに関する。
【背景技術】
【０００２】
特許文献１には、版下画像のイメージ部分か空白部分かを判定することで、イメージ領域のみを切り出す技術が開示されている。特許文献１では、版下画像を印刷範囲に併せて再配置することで、版を用いないで印刷（以下、「ＰＯＤ（プリント・オン・デマンド）」という。）する操作の効率化を図っている。
【０００３】
また、特許文献２には、版下画像を印刷範囲に合わせて再配置することで、ＰＯＤで印刷する操作を効率化する技術が開示されている。
【先行技術文献】
【特許文献】
【０００４】
【特許文献１】特開２００２−２１５３８０号公報
【特許文献２】特開２００９−００４９１２号公報
【発明の概要】
【発明が解決しようとする課題】
【０００５】
例えば、複数の画像が面付け処理された印刷用版下データ（印刷用版下情報）は、予め定められた画像サイズ（メディアサイズ）を含むメディア情報が付加されて保存されるが、画像の面付け情報を付加しないで保存される場合がある。一例として、ＰＤＦ（ポータブル・ドキュメント・フォーマット）として保存することが挙げられる。
【０００６】
面付け情報が無い印刷用版下データを用いた再印刷時には、当該印刷用版下データを保存されたときの画像サイズで、かつ、複数の画像が面付けされたままの状態で読み出せばよいが、保存後の印刷用版下データには、面付けされた画像（電子情報）単位で分割して読み出すための情報が存在しない。
【０００７】
本発明は、複数の画像が面付け処理された印刷用版下情報に対して、画像単位に分割した電子情報を読み出すことができる電子情報編集装置、電子情報編集制御プログラムを得ることが目的である。
【課題を解決するための手段】
【０００８】
請求項１に記載の発明は、印刷用版下情報が示す画像のサイズを含む版下属性情報と、複数の電子情報が示す画像の配置状態を特定する面付け情報と、が関連付けられた状態で保存された印刷用版下情報に対し、前記電子情報の出力要求を受け付ける受付手段と、前記受付手段で出力要求を受け付けた場合に、前記面付け情報に基づいて、前記印刷用版下情報から電子情報を抽出する抽出手段と、前記抽出手段で抽出された電子情報が示す画像のサイズを、印刷用版下情報が示す画像のサイズに変換する変換手段と、を有している。
【０００９】
請求項２に記載の発明は、前記請求項１に記載の発明において、保存された印刷用版下情報には、印刷用版下情報が示す画像を印刷するための印刷指示情報が付加されており、前記印刷用版下情報を保存するときに利用した面付け情報を、前記印刷指示情報に付加する。
【００１０】
請求項３に記載の発明は、前記請求項１に記載の発明において、保存された印刷用版下情報には、印刷用版下情報が示す画像を印刷するための印刷指示情報が付加されており、前記印刷用版下情報を保存するときに、新たに面付け情報を作成して、前記印刷指示情報に付加する。
【００１１】
請求項４に記載の発明は、前記請求項１〜請求項３の何れか１項記載の発明において、前記抽出手段が、前記面付け情報に基づく電子情報が示す画像の数に対応して、印刷用版下情報が示す画像を複製する必要があるか否かを判定する第１の判定手段をさらに有し、前記第１の判定手段により複製が必要と判定され、印刷用版下情報が示す画像が複製された場合に、複製された印刷用版下情報が示す画像毎に、全数よりも少ない数の電子情報が示す画像を抽出する。
【００１２】
請求項５に記載の発明は、前記請求項１〜請求項３の何れか１項記載の発明において、前記抽出手段が、前記面付け情報に基づく電子情報が示す画像の数に対応して、印刷用版下情報が示す画像を複製する必要があるか否かを判定する第１の判定手段をさらに有し、前記第１の判定手段により複製が必要と判定され、印刷用版下情報が示す画像が複製された場合に、複製された印刷用版下情報が示す画像毎に、１つの電子情報を抽出する。
【００１３】
請求項６に記載の発明は、前記請求項１〜請求項５の何れか１項記載の発明において、前記抽出手段が、前記印刷用版下情報の面付け情報に基づき、前記電子情報に付された頁順に並べ替える必要があるか否かを判定する第２の判定手段をさらに有し、前記第２の判定手段により並べ替えが必要と判定された場合に、複製された印刷用版下情報が示す画像を、面付け情報に基づき、並べ替える。
【００１４】
請求項７に記載の発明は、コンピュータを、前記請求項１〜請求項６の何れか１項記載の電子情報編集装置として機能させる電子情報編集制御プログラムである。
【発明の効果】
【００１５】
請求項１に記載の発明によれば、複数の画像が面付け処理された印刷用版下情報に対して、画像単位に分割した電子情報を読み出すことができる。
【００１６】
請求項２に記載の発明によれば、印刷版下情報を保存するときに利用した面付け情報を残すことができる。
【００１７】
請求項３に記載の発明によれば、面付け情報を作成して、前記印刷指示情報に追加することができる。
【００１８】
請求項４に記載の発明によれば、複製する数を必要最小限とすることができる。
【００１９】
請求項５に記載の発明によれば、複製する数を必要最小限とするよりも、抽出作業の単純化を図ることができる。
【００２０】
請求項６に記載の発明によれば、電子情報を頁順に並べ替えることができる。
【００２１】
請求項７に記載の発明によれば、複数の画像が面付け処理された印刷用版下情報に対して、画像単位に分割した電子情報を読み出すことができる。
【図面の簡単な説明】
【００２２】
【図１】本実施の形態に係る電子情報編集装置を含む電子情報編集システムの全体図である。
【図２】本実施の形態に係る電子情報編集装置の制御ブロック図である。
【図３】本実施の形態の例１に係る印刷用版下データのイメージ図である。
【図４】本実施の形態の例２に係る印刷用版下データのイメージ図である。
【図５】（Ａ）は本実施の形態に係る印刷指示情報のイメージ図、（Ｂ）は面付け情報とその意味を示す図表である。
【図６】本実施の形態に係る電子情報編集装置における、面付け処理された印刷用版したデータを対象とした、電子情報出力処理のための機能ブロック図である。
【図７】本実施の形態に係る電子情報編集装置において、面付け処理された印刷用版したデータを対象とした、頁単位画像出力制御を実行するための制御フローチャートである。
【図８】（Ａ）は、本実施の形態の例２において、複製された印刷用版下データを示す正面図、（Ｂ）は、図８（Ａ）において、各印刷用版下データから抽出された画像の正面図である。
【発明を実施するための形態】
【００２３】
（システム）
図１には、本実施の形態に係る電子情報編集装置１０が示されている。電子情報編集装置１０は、通信回線網１２に接続されている。
【００２４】
なお、電子情報とは、文字、図形、画像、イラスト、絵画、写真及びこれらの組み合わせを含み、電子化された全ての電子情報の総称とする。
【００２５】
通信回線網１２は、例えば、ＬＡＮ（ローカル・エリア・ネットワーク）であり、複数のＬＡＮが、ＷＡＮ（ワイド・エリア・ネットワーク）によって相互に接続されていてもよい。また、通信回線網１２を含む全ての通信回線網は、それぞれ有線接続である必要はない。すなわち、一部又は全部が無線によって情報を送受信する無線通信回線網であってもよい。
【００２６】
通信回線網１２の枝線１２Ａには、電子情報編集装置１０から文書情報を読み出して作業（閲覧、編集等）するための複数台のＰＣ（パーソナルコンピュータ）１４がそれぞれ接続されている。ＰＣ１４は例えば各ユーザーがそれぞれ占有し、予め定めたアクセス権を持って、電子情報編集装置１０とアクセスするようになっている。
【００２７】
なお、通信回線網１２には、出力デバイスとして、画像処理装置１６が接続されている。
【００２８】
画像処理装置１６は、ＰＣ１４から遠隔で文書情報を受信して画像形成（プリント）を実行する機能、及びユーザーが画像処理装置１６の前に立って各種操作によって、例えば、複写（コピー）、スキャン（画像読取）、ファクシミリ送受信等の処理を実行する機能を有する。特に、スキャン（画像読取）した文書情報は、電子情報編集装置１０又は図示しないスキャンサーバーに送られ文書ファイルとして記憶される場合がある。
【００２９】
なお、図１の画像処理装置１６は、一例としてオフィス仕様の外観となっているが、印刷業界の場合は、オフィス仕様の画像処理装置１６よりも、単位時間当たり大量の印刷が可能な業務用の基幹印刷機が用いられる場合がある。従って、以下において、画像処理装置１６は、全ての印刷機器を示すものとする。
【００３０】
通信回線網１２には、通信デバイスとして無線通信機器１８が接続され、遠隔に持ち出されたＰＣ１４Ｍ（以下、持ち出しＰＣ１４Ｍという）や、通信携帯端末２０（スマートフォン、携帯電話等）と通信が可能となっている。
【００３１】
図２には、電子情報編集装置１０の制御ブロック図が示されている
電子情報編集装置１０は、ＣＰＵ１０Ａ、ＲＡＭ１０Ｂ、ＲＯＭ１０Ｃ、Ｉ／Ｏ１０Ｄ及びこれらを相互に接続するデータバスやコントロールバス等のバス１０Ｅを備えている。
【００３２】
Ｉ／Ｏ１０Ｄには、必要に応じてキーボードやマウス等の入力装置１０Ｆと、モニタ１０Ｇが接続されている。また、Ｉ／Ｏ１０Ｄには、Ｉ／Ｆ１０Ｈを介して前記通信回線網１２に接続されている。
【００３３】
さらに、Ｉ／Ｏ１０Ｄには、大規模記録媒体として、ハードディスク（ＨＤＤ）１０Ｉが接続されている。ハードディスク１０Ｉは、本実施の形態に係る保存データ（後述）を保存するサーバーとして機能する。
【００３４】
ここで、図３及び図４に示される如く、本実施の形態に係る電子情報編集装置１０では、１頁として認識される電子情報として、複数の画像がオブジェクトとして面付けされた印刷用版下データ２２（印刷用版下情報）を保存する機能を有している。なお、印刷用版下データ２２は、実体はデータであるが、図３及び図４では、印刷用版下データ２２を、用紙に見立てた領域２２Ａの適宜位置に複数の画像２２Ｂ（元画像）が配置された、所謂イメージ図として図示した。
【００３５】
（印刷用版下データ２２の例示）
（例１）本実施の形態では、図３に示される如く、ポスター印刷を代表とする大量印刷の際に、予め定めたサイズ（メディアサイズ）の印刷用版下データ２２に、電子情報としての複数の同一の画像２２Ｂ（図３では、「１」という画像を画像２２Ｂとしている。）を面付けして印刷用版下データ２２を作成する場合がある。
【００３６】
印刷要求があると、例えば、画像処理装置１６において、印刷指示情報（ジョブチケット）に基づき印刷用版下データ２２を読出して印刷し、画像２２Ｂ毎に切り取ることで、印刷枚数×面付け数の印刷物を得る。
【００３７】
（例２）また、本実施の形態では、図４に示される如く、冊子又は製本印刷の際に、予め定めたサイズ（メディアサイズ）の領域２２Ａに、各頁の画像２２Ｂを面付けして印刷用版下データを作成する場合がある。
【００３８】
画像の面付け位置は、冊子又は製本の折り込み情報に基づいて定めるものであり、頁順通りになる場合と、頁順通りにならない場合とがある。例えば、画像処理装置１６において、印刷指示情報（ジョブチケット）に基づき印刷用版下データ２２を読出して印刷し、折り込み情報に基づき折り込むことで、冊子化又は製本がなされる。
【００３９】
例えば、図４に示される如く、印刷用版下データ２２に各６頁分の画像２２Ｂが頁通り配置された場合は、予め定めたサイズ（メディアサイズ）の印刷用版下データ２２に、異なる画像２２Ｂ（図４では、１頁目が「１」〜「６」という画像の画像２２Ｂ、及び２頁目が「７」〜「１２」という画像の画像２２Ｂ）としている。
【００４０】
（印刷用版下データ２２の保存形態）
本実施の形態の電子情報編集装置１０では、例えば、印刷が終了した上記例１及び例２の印刷用版下データ２２を、元となる頁毎の画像情報に分解せず、印刷用版下データ２２のままで保存するようにしている。一例として、印刷用版下データ２２をＰＤＦデータとして保存している。
【００４１】
言い換えれば、上記例１及び例２の印刷用版下データ２２の作成前は、元となる各画像情報は、当該画像毎に管理されているが、印刷用版下データ２２（ＰＤＦデータ）上では、それぞれの画像がオブジェクトとして認識され、版下属性情報としてのメディア情報と共に、印刷指示情報（ジョブチケット）が関連付けられた状態で保存される。なお、一の情報に対し、他の一の情報を関連付けることを総称して、「紐付ける」という場合がある。
【００４２】
印刷用版下データ２２のままで保存する理由は、再印刷の際に、各頁の画像毎に面付け処理をして印刷するよりも印刷効率が向上するためである。
【００４３】
メディア情報は、印刷用版下データ２２の領域２２Ａのサイズ（メディアサイズ）と、枚数（頁数に相当）を含む。
【００４４】
印刷指示情報は、紐付けされた印刷用版下データ２２を印刷するときの条件項目が記述された情報である。
【００４５】
ここで、本実施の形態の電子情報編集装置１０では、印刷用版下データ２２を保存する場合、本来であれば、再印刷には不要であるため、破棄される情報である面付け情報を、印刷指示情報２４（図５（Ａ）参照）の一部として、付加するようにしている。図５（Ｂ）に、面付け情報とその意味を示す。
【００４６】
本実施の形態に係る印刷指示情報は、例えば、図５（Ａ）に示すような記述言語で、印刷用版下データ２２に紐付けされた状態で保存されるようになっている。なお、印刷指示情報は、実体は情報であるが、図５（Ａ）では、印刷指示情報の指示項目を所謂イメージ図として図示した。なお、以下において、電子情報編集装置１０のハーディスク１０Ｉに保存する印刷用版下データ２２、メディア情報、印刷指示情報（本実施の形態では、面付け情報が付加されている）を総称して保存データという。
【００４７】
（元画像単位の読み出し要求）
ここで、印刷用版下データ２２は、前記再印刷の要求とは別に、元の画像単位での読み出しを要求される場合がある。
【００４８】
一例としては、ＰＣ１４（１４Ｍ）及び通信携帯端末２０（図１参照）のビュワー機能で、電子書籍の如く、各頁の画像を表示するような形態である。
【００４９】
他の一例としては、画像処理装置１６において、各頁の画像を印刷するような形態である。
【００５０】
元の画像単位での読み出しを要求する際、比較例として、印刷用版下データ２２を読み出した後に、ユーザーが目視で、特定の領域を選択して、元の画像毎に抽出することは可能である。
【００５１】
これに対して、本実施の形態の電子情報編集装置１０では、面付け処理された印刷用版下データ２２に対し、各頁の画像毎の表示要求又は印刷要求があった場合に、当該印刷用版下データ２２に紐付けされた印刷指示情報に付加した面付け情報を取得して、見掛け上、各頁の画像が、メディアサイズの画像であるかのように設定して、出力（例えば、表示又は印刷）するようにした。
【００５２】
図６は、本実施の形態に係る電子情報編集装置１０における、面付け処理された印刷用版下データ２２を対象とした、電子情報出力処理のための機能ブロック図である。
【００５３】
なお、図６に示す各ブロックは、機能別に分類したものであり、ハード構成を限定するものではない。
【００５４】
図６に示される如く、受付手段としての読出指示受付部１００では、ＰＣ１４，１４Ｍ、及び通信携帯端末２０（図１参照）からの、面付け処理された印刷用版下データ２２の読出指示を受け付けるようになっている。
【００５５】
なお、印刷用版下データ２２には、前述したように印刷指示情報が紐付けされているため、以下において、印刷用版下データ２２と、印刷指示情報とを総称する場合は、「保存データ」という。
【００５６】
読出指示受付部１００は、抽出手段としての保存データアクセス部１０２に接続されており、読出指示を受け付けると、保存データアクセス部１０２に対して、例えば、保存データの識別符号を出力して、当該識別符号に対応する保存データの読み出しを指示する。
【００５７】
保存データアクセス部１０２では、ハードディスク１０Ｉから、識別符号に応じた保存データを検索して読み出し、解析部１０４へ送出するようになっている。
【００５８】
解析部１０４では、読み出した保存データを解析し、印刷用版下データ２２と、印刷指示情報とに分離すると共に、さらに、印刷指示情報をメディア情報と面付け情報とに分離する。メディア情報は、印刷用版下データ２２のサイズ（メディアサイズ）と、枚数を含む。
【００５９】
解析部１０４は、印刷用版下データ取込部１０６、メディア情報取込部１０８、及び面付け情報取込部１１０に接続されている。
【００６０】
印刷用版下データ取込部１０６では、解析部１０４で分離された印刷用版下データ２２を取り込み、複製処理部１１２へ送出する。
【００６１】
メディア情報取込部１０８では、解析部１０４で分離されたメディア情報（印刷指示情報の一部）を取り込み、要否判定部１１４へ送出する。
【００６２】
面付け情報取込部１１０では、解析部１０４で分離された面付け情報（印刷指示情報の一部）を取り込み、要否判定部１１４及び表示範囲演算部１１６へ送出する。
【００６３】
要否判定部１１４は、第１の判定手段としての複製要否判定部１１４Ａと、第２の判定手段としての並べ替え要否判定部１１４Ｂとを備えている。
【００６４】
複製要否判定部１１４Ａでは、メディアサイズと面付け情報とに基づいて、印刷用版下データ２２を複製する必要があるか否かが判定している。
【００６５】
前述の例１及び例２に従い、複製要否の判定例を示す。
【００６６】
前述の「（例１）」では、印刷用版下データ２２に同一の画像が面付けされているため、１枚（１頁）の印刷用版下データ２２からは、１つの画像を取り出せばよいため、複製の必要はない。
【００６７】
一方、前述の「（例２）」では、複数の頁の異なる画像が面付けされているため、１枚（１頁）の印刷用版下データ２２から、複数の画像分、印刷用版下データ２２を複製して（複製印刷用版下データ２２という）、それぞれの複製印刷用版下データ２２から各頁の画像を取り出すため、複製が必要となる。
【００６８】
複製要否判定部１１４Ａは、前記複製処理部１１２に接続されており、複製の要否の判定結果を送出する。
【００６９】
複製処理部１１２では、複製の要否の判定結果に基づき、複製せずに、又は必要数複製した印刷用画像データを並べ替え処理部１２０へ送出する。
【００７０】
前記並べ替え要否判定部１１４Ｂでは、複製の要否の判定結果に基づき、並べ替え処理の要否を判定する。
【００７１】
前述の例１及び例２に従い、並べ替え要否の判定例を示す。
【００７２】
前述の「（例１）」の場合は、同一の画像であるので複製が不要であり、当然、並べ替えは不要である。
【００７３】
一方、前述の「（例２）」の場合は、印刷指示情報の内、折り込み情報に基づいて、並べ替えの要否を判定する。
【００７４】
折り込みの種類の一例としては、「二つ折り」、「三つ折り」、「外三つ折り」、「四つ折り」、「巻き四つ折り」、「蛇腹折り」、「十文字四つ折り」が代表的であり、それぞれ、頁順が異なる場合、及び天地が反転する場合がある。
【００７５】
そこで、並べ替え判定部１１４Ｂでは、折り込み情報に基づき、画像の並べ替えの要否を判定する。
【００７６】
並べ替え要否判定部１１４Ｂは、並べ替え処理部１２０に接続されており、画像の並べ替えの要否の判定結果を送出する。
【００７７】
並べ替え処理部１２０では、画像の並べ替えの要否の判定結果に基づき、前記複製処理部１１２から受け取った１又は複数の印刷用版下データ２２に対して、必要に応じて並べ替え処理を実行する。
【００７８】
並べ替え処理部１２０は、前記表示範囲演算部１１６に接続されており、表示範囲演算部１１６に当該並べ替え処理部１２０での処理後の１又は複数の印刷用版下データ２２（必要に応じて並べ替え処理が実行された印刷用版下データ２２）を送出する。
【００７９】
表示範囲演算部１１６では、それぞれの印刷用版下データ２２に対して、面付け情報に基づき、表示範囲を演算する。表示範囲演算部１１６での演算結果は、表示範囲設定部１２２に送出されるようになっている。
【００８０】
表示範囲設定部１２２は、変換手段としてのメディアサイズ変更部１２４に接続されている。
【００８１】
メディアサイズ変更部１２４では、印刷用版下データ２２の１枚（１頁）毎に、表示範囲設定部１２２で設定された表示範囲を、元の印刷用版下データ２２のメディアサイズに変更する。
【００８２】
このとき、各画像は、必要に応じて並べ替え処理が実行されているため、頁順に処理されることになる。
【００８３】
すなわち、電子情報編集装置１０では、印刷用版下データ２２を印刷指示情報に基づくメディアサイズで出力すると認識しているため、各画像のサイズを、見掛け上、印刷用版下データ２２のメディアサイズに変更する。
【００８４】
メディアサイズ変更部１２４は、削除部１２６及び画像出力部１２８が接続されている。
【００８５】
各印刷用版下データ２２の中から、特定の画像がメディアサイズに変更されるとき、当該特定の画像以外のデータは不要である。このため、削除部１２６では、不要となるデータを削除する処理を実行する。なお、この削除部１２６は必須ではない。
【００８６】
画像出力部１２８では、要求先に対して、メディアサイズが変更された特定の画像が、頁順、天地が揃えられた状態で順次出力されるようになっている。
【００８７】
以下に本実施の形態の作用を説明する。
【００８８】
図７は、本実施の形態に係る電子情報編集装置１０において、面付け処理された印刷用版下データ２２を対象とした、電子情報出力処理を実行するための制御フローチャートである。このフローチャートは、電子情報編集装置１０のＲＯＭ１０Ｃに記憶されている電子情報編集制御プログラムを読み出して、ＣＰＵ１０Ａを主体に実行される。なお、電子情報編集制御プログラムは、ハードディスク１０Ｉ又は、記録媒体に記憶してもよい。
【００８９】
ステップ１５０では、オブジェクト化された複数の画像が貼り付けられた印刷用版下データ２２（例えば、ＰＤＦデータ）に対し、各画像２２Ｂ毎の出力の要求があったか否かが判断される。
【００９０】
このステップ１５０で否定判定された場合は、このルーチンは終了する。また、ステップ１５０で肯定判定された場合は、ステップ１５２へ移行する。
【００９１】
ステップ１５２では、上記出力の要求の際に受け付けた、印刷用版下データ２２を特定する識別符号に基づき、ＨＤＤ１０Ｉ（図６参照）から保存データ（該当する印刷用版下データ２２、メディア情報、及び印刷指示情報）を読み出し、ステップ１５４へ移行する。
【００９２】
ステップ１５４では、読み出した保存データを解析し、印刷用版下データ２２、メディア情報、及び、印刷指示情報に分離すると共に、当該印刷指示情報の中から面付け情報を分離する。
【００９３】
次のステップ１５６では、面付け情報に基づいて、印刷用版下データ２２を複製する必要があるか否かを判断する。このステップ１５６で否定判定された場合は、印刷用版下データ２２は、同一の画像が貼り付けられている形態（例１の形態、図３参照）であると判断し、ステップ１６６へ移行する。ステップ１６６については後述する。
【００９４】
また、ステップ１５６で肯定判定された場合は、冊子又は製本の各頁の画像が貼り付けられている形態（例２の形態、図４参照）であると判断し、ステップ１５８へ移行して、印刷用版下データ２２を、面付けされた画像の頁分だけ複製し、ステップ１６０へ移行する。
【００９５】
ステップ１６０では、複製した印刷用版下データ２２の並べ替えが必要か否かを判断する。このステップ１６０で否定判定された場合は、各画像が頁順に配列されている折り込み形態であると判断し、ステップ１６６へ移行する。ステップ１６６については後述する。
【００９６】
また、ステップ１６０で肯定判定された場合は、各画像が頁順に配列されていない折り込み形態であると判断し、ステップ１６２へ移行して、面付け情報と印刷用版下データ２２の枚数とに基づき頁順を演算し、ステップ１６４へ移行する。
【００９７】
ステップ１６４では、前記ステップ１６２で演算された頁順に基づき、頁順を入れ替える処理を実行し、ステップ１６６へ移行する。
【００９８】
ステップ１６６では、面付け情報に基づき、各画像の表示範囲又は印刷範囲を演算する。より具体的には、印刷用版下データ２２の全面を二次元平面とした場合の座標によって表示範囲を特定する。
【００９９】
次のステップ１６８では、演算された表示範囲又は印刷範囲（例えば、座標値）を、印刷用版下データ２２の全面サイズであるメディアサイズに設定し、ステップ１７０へ移行する。すなわち、印刷用版下データ２２の一部を、見掛け上のメディアサイズと認識させる。例えば、前述の例２では、図８（Ａ）に示される如く、複製された各印刷用版下データ２２の網線で示した表示範囲又は印刷範囲の画像２２Ｂがメディアサイズの画像となる。
【０１００】
ステップ１７０では、表示範囲外又は印刷範囲外のオブジェクトは不要なデータであるため、当該データを削除し、次いでステップ１７２へ移行して、見掛け上、メディアサイズとした表示範囲又は印刷範囲の画像を頁順に出力し（図８（Ｂ）参照）、このルーチンは終了する。
【０１０１】
本実施の形態によれば、印刷用版下データ２２に紐付けされた印刷指示情報に付加した面付け情報を取得して、見掛け上、各頁の画像がメディアサイズの画像であるかのように設定して出力するようにしたため、印刷用版下データ２２を読み出した後に、ユーザーが目視で特定の領域を選択して、元の画像毎に抽出するよりも効率的に元画像の抽出作業が可能となる。
【０１０２】
なお、本実施の形態の電子情報編集装置１０では、印刷用版下データ２２をＰＤＦデータで保存する場合を含んでいる。ＰＤＦデータの場合、１頁の印刷用版下データ２２（ＰＤＦデータ）から、４箇所の表示範囲を選択して、個別に抽出可能である。そこで、ＰＤＦデータの場合は、印刷用版下データ２２に貼り付けられ、個別に抽出するべき画像２２Ｂの数が４箇所以下であれば、複製は不要としてもよい。言い換えれば、抽出するべき画像よりも少ない数（ＰＤＦの場合は、抽出するべき画像数−４の数）だけ複製すればよい。
【０１０３】
また、本実施の形態では、冊子又は製本の折り込み情報において、天地を回転させることも含んでいるが、例えば、読み出しを要求したＰＣ１４（１４Ｍ）又は通信携帯端末２０側の表示回転機能で調整するようにしてもよい。
【０１０４】
さらに、本実施の形態では、印刷用版下データ２２を含む保存データをハードディスク１０Ｉに保存するときに面付け情報を残して、印刷指示情報に付加したが、新たに面付け情報を作成してもよい。
【０１０５】
また、本実施の形態では、印刷用版下データ２２に、印刷指示情報２４が紐付けされていることを前提としたため、前記印刷指示情報２４に面付け情報を付加するようにしたが、印刷指示情報２４が必須ではない場合は、印刷指示情報２４とは別に面付け情報を、印刷用版下データ２２に紐付けして保存するようにしてもよい。
【符号の説明】
【０１０６】
１０    電子情報編集装置
１２    通信回線網
１２Ａ    枝線
１４    ＰＣ
１４Ｍ    ＰＣ
１６    画像処理装置
１８    無線通信機器
２０    通信携帯端末
１０Ａ    ＣＰＵ
１０Ｂ    ＲＡＭ
１０Ｃ    ＲＯＭ
１０Ｄ    Ｉ／Ｏ
１０Ｅ    バス
１０Ｆ    入力装置
１０Ｇ    モニタ
１０Ｈ    Ｉ／Ｆ
１０Ｉ    ハードディスク
２２    印刷用版下データ
２２Ａ    領域
２２Ｂ    画像
２４    印刷指示情報
１００    読出指示受付部
１０２    保存データアクセス部
１０４    解析部
１０６    印刷用版下データ取込部
１０８    メディア情報取込部
１１０    面付け情報取込部
１１２    複製処理部
１１４    要否判定部
１１４Ａ    複製要否判定部
１１４Ｂ    並べ替え要否判定部
１１６    表示範囲演算部
１２０    並べ替え処理部
１２２    表示範囲設定部
１２４    メディアサイズ変更部
１２６    削除部
１２８    画像出力部
【図１】
0006468146.tif 000002
【図２】
0006468146.tif 000003
【図３】
0006468146.tif 000004
【図４】
0006468146.tif 000005
【図５】
0006468146.tif 000006
【図６】
0006468146.tif 000007
【図７】
0006468146.tif 000008
【図８】
0006468146.tif 000009